(57)【要約】      （修正有）【課題】互いに類似したデザインを有する複数の歯ブラシを各々識別可能に収容できる歯ブラシスタンドを提供する。【解決手段】歯ブラシスタンド１０は、歯ブラシを保持する保持部１１を複数備え、保持部のそれぞれに対応付けて相異なる目印１５が付されている。目印は、交換可能であることが好ましい。また歯ブラシスタンドは、複数の保持部それぞれに対応付けて、歯磨剤容器１０１が載置される載置部１４を備えていてもよい。【選択図】図１
0003193521.tif 000002
【実用新案登録請求の範囲】
【請求項１】
歯ブラシを保持する保持部を複数備え、
前記保持部のそれぞれに対応付けて相異なる目印が付される、
歯ブラシスタンド。
【請求項２】
前記目印は、交換可能に付されている、
請求項１に記載の歯ブラシスタンド。
【請求項３】
前記目印は、前記保持部に付されている、
請求項１または請求項２に記載の歯ブラシスタンド。
【請求項４】
前記歯ブラシスタンドは、前記複数の保持部それぞれに対応付けて設けられ、歯磨剤容器が載置される載置部をさらに備える、
請求項１から請求項３のいずれか一項に記載の歯ブラシスタンド。
【請求項５】
前記歯ブラシスタンドは、
垂直な回転軸を中心として回転可能に設けられた回転体をさらに備え、
前記保持部は、前記回転体の側面に設けられている、
請求項１から請求項４のいずれか一項に記載の歯ブラシスタンド。
【考案の詳細な説明】
【技術分野】
【０００１】
本考案は、歯ブラシスタンドに関する。
【背景技術】
【０００２】
歯ブラシを収容する器具として、歯ブラシスタンドがある。歯ブラシスタンドには、複数の歯ブラシを収容できるものもある（例えば、特許文献１〜３を参照）。
【先行技術文献】
【特許文献】
【０００３】
【特許文献１】特開平１１−３３２６５３号公報
【特許文献２】特開２００１−３３３８６９号公報
【特許文献３】実開平７−１４９８９号公報
【考案の概要】
【考案が解決しようとする課題】
【０００４】
ところで、自宅や旅先では、家族や知人と共用の洗面所に歯ブラシを置くことが多い。ここで、上記の歯ブラシスタンドに、互いに類似したデザインの複数の歯ブラシを収容した場合、それぞれの歯ブラシが誰の歯ブラシかを識別することは難しい。そこで、開示の技術の１つの側面は、互いに類似したデザインの複数の歯ブラシを各々識別可能に収容できる歯ブラシスタンドを提供することにある。
【課題を解決するための手段】
【０００５】
本考案は、次のような歯ブラシスタンドによって例示される。
本考案に係る歯ブラシスタンドは、歯ブラシを保持する保持部を複数備える。本考案に係る歯ブラシスタンドには、保持部のそれぞれに対応付けて相異なる目印が付されている。
【０００６】
本考案に係る歯ブラシスタンドは、保持部それぞれに対応付けて相異なる目印が付されていることで、互いに類似したデザインの複数の歯ブラシを各々識別可能に収容できる。
【０００７】
前記目印は交換可能に付されていてもよい。本考案に係る歯ブラシスタンドは、目印が交換可能となることにより、利用者の好みに応じて目印を交換可能である。
【０００８】
本考案に係る歯ブラシスタンドの目印は、保持部に付されてもよい。本考案に係る歯ブラシスタンドは、目印が保持部に付されることで、互いに類似したデザインの複数の歯ブラシをより明確に各々識別可能に収容できる。
【０００９】
本考案に係る歯ブラシスタンドは、複数の保持部それぞれに対応付けて設けられ、歯磨剤容器が載置される載置部をさらに備えてもよい。保持部と載置部とを対応付けることで、本考案に係る歯ブラシスタンドは、歯ブラシと歯磨剤容器とを対応付けて収容できる。
【００１０】
本考案に係る歯ブラシスタンドは、垂直な回転軸を中心として回転可能に設けられた回転体をさらに備え、保持部は、前記回転体の側面に設けられていてもよい。本考案に係る歯ブラシスタンドは、保持部が回転可能に設けられた回転体の側面に設けられることで、歯ブラシを取り出しやすい方向に保持部の方向を変更可能である。
【考案の効果】
【００１１】
上記構成を有する歯ブラシスタンドは、互いに類似したデザインの複数の歯ブラシを各々識別可能に収容することができる。
【図面の簡単な説明】
【００１２】
【図１】実施形態の歯ブラシスタンドを例示する斜視図である。
【図２】第１変形例の歯ブラシスタンドを例示する図である。
【図３】着脱可能な歯ブラシ保持部を含む第２変形例の歯ブラシスタンドを例示する斜視図である。
【考案を実施するための形態】
【００１３】
以下、図面を参照して、一実施形態に係る歯ブラシスタンドについて説明する。以下に示す実施形態の構成は例示であり、本考案に係る歯ブラシスタンドは実施形態の構成に限定されない。
【００１４】
＜実施形態＞
図１は、実施形態の歯ブラシスタンド１０を例示する斜視図である。実施形態の歯ブラシスタンド１０は、複数の歯ブラシ１００を収容可能である。実施形態の歯ブラシスタンド１０は、それぞれ１本の歯ブラシ１００を保持する歯ブラシ保持部１１を備える。また、実施形態の歯ブラシスタンド１０には、複数の歯ブラシ保持部１１それぞれに相異なる目印１５が付されている。目印１５が複数の歯ブラシ保持部１１それぞれに付されることで、実施形態の歯ブラシスタンド１０は、歯ブラシ保持部１１に保持される複数の歯ブラシ１００を各々識別可能に収容する。以下、図１を参照して、実施形態の歯ブラシスタンド１０について説明する。
【００１５】
歯ブラシスタンド１０は、歯ブラシ保持部１１、支持部１２、接続部１３および歯磨剤容器置き場１４を備える。歯ブラシ保持部１１には、目印１５が付されている。歯ブラシスタンド１０は、例えば、備品として宿泊施設の客室に備えられる。
【００１６】
歯ブラシ１００および歯磨剤容器１０１は、歯ブラシスタンド１０に収容される。複数の歯ブラシ１００は、例えば、互いに類似したデザインの歯ブラシである。
【００１７】
歯ブラシ保持部１１は、１本の歯ブラシ１００を保持する。歯ブラシ保持部１１は、歯ブラシスタンド１０に複数設けられる。隣接する歯ブラシ保持部１１の間隔は、隣接した歯ブラシ保持部１１によって保持される歯ブラシ１００が互いに接触しない程度に離間していればよい。図１では、歯ブラシ保持部１１はコの字型断面を有している。しかしながら、歯ブラシ保持部１１は、このような形状に限定されない。歯ブラシ保持部１１は、歯ブラシ１００を保持可能な形状であればどのような形状であってもよい。歯ブラシ保持部１１は、例えば、Ｌ字型断面を有していてもよい。また、歯ブラシ保持部１１は、支持部１２から上方に伸びて設けられた筒状の形状を有してもよい。歯ブラシ保持部１１は、本考案の「保持部」の一例である。
【００１８】
支持部１２は、歯ブラシスタンド１０全体を支持する。また、支持部１２は、歯ブラシ１００の柄の下端部を支持している。図１では、支持部１２は、直方体の形状を有する部材として記載されている。しかしながら、支持部１２は、このような形状に限定されない。支持部１２は、歯ブラシスタンド１０全体を支持可能であればどのような形状であってもよい。支持部１２は、例えば、円柱あるいは五角柱等の多角柱であってもよい。支持部１２の表面１２ａには、表面１２ａの中心部から外縁部へ向けて傾斜が設けられてもよい。傾斜が設けられることで、支持部１２の水はけが向上する。支持部１２は、その底面１２ｂに滑り止め部材を有してもよい。滑り止め部材として、例えば、吸盤あるいはゴム等の弾性部材で作成された足がある。
【００１９】
接続部１３は、歯ブラシ保持部１１と支持部１２とを接続する。図１では、接続部１３の表面１３ａに複数の歯ブラシ保持部１１が横方向に並んで設けられている。また、図１では、接続部１３は、直方体の形状を有している。しかしながら、接続部１３は、このような形状に限定されない。接続部１３は、歯ブラシ保持部１１と支持部１２とを接続できる形状であればどのような形状であってもよい。接続部１３は、例えば、棒状の部材であり、歯ブラシ保持部１１のそれぞれと支持部１２とを接続してもよい。接続部１３は、歯ブラシ保持部１１を有する面と反対側の面１３ｂに、歯ブラシスタンド１０を壁等に取り付ける部材を有してもよい。壁等に取り付ける部材としては、例えば、吸盤、ねじ穴、フック、紐あるいは接着テープ等がある。なお、接続部１３は、歯ブラシスタンド１０の構成から省略されてもよい。この場合、支持部１２の表面１２ａに歯ブラシ保持部１１が設けられればよい。
【００２０】
歯磨剤容器置き場１４には、歯磨剤の入った歯磨剤容器１０１が置かれる。図１では、歯磨剤容器置き場１４は、歯ブラシ保持部１１の正面に、支持部１２の表面１２ａ上に設けられている。しかしながら、歯磨剤容器置き場１４は、このような構成に限定されない。歯磨剤容器置き場１４は、歯ブラシ１００と歯磨剤容器１０１を対応付けて収容できるように、歯ブラシ保持部１１と対応付けて設けられる。歯磨剤容器置き場１４は、例えば、歯ブラシ保持部１１と隣接して、接続部１３の表面１３ａ上に設けられてもよい。歯磨剤容器置き場１４は、本考案の「載置部」の一例である。なお、歯磨剤容器置き場１４は、歯ブラシスタンド１０の構成から省略されてもよい。
【００２１】
目印１５は、複数の歯ブラシ保持部１１のそれぞれに付されている。図１では、「○（円形）」あるいは「◇（ひし形）」等の相異なった記号が目印１５として歯ブラシ保持部１１に付されている。複数の歯ブラシ保持部１１のそれぞれに相異なる目印１５が付されることで、歯ブラシスタンド１０は、複数の歯ブラシ１００をそれぞれ識別可能に収容できる。なお、目印１５は記号に限定されるわけではない。目印１５は、文字、図形、記号若しくは立体的形状若しくはこれらの結合又はこれらと色彩との結合を含む。つまり、目印１５には、例えば、円あるいはひし形等の記号、宿泊施設所在地の特色を表現するもの、動物の顔のイラスト、点字等様々なものが適用可能である。目印１５として点字等の立体的形状を採用した場合、歯ブラシスタンド１０は、視覚障害者に対して歯ブラシ１００を識別する一助となり得る。複数の目印１５は、歯ブラシ保持部１１に保持される歯ブラシ１００を各々識別できるように、相異なっていればよい。また、目印１５は、歯ブラシ保持部１１に付される構成に限定されない。目印１５は、各々の歯ブラシ保持部１１を識別できるように、歯ブラシ保持部１１と対応付けて付される。目印１５は、例えば、歯ブラシ保持部１１と対応付けて設けられる歯磨剤容器置き場１４に付されてもよい。
【００２２】
実施形態の歯ブラシスタンド１０は、歯ブラシを保持する歯ブラシ保持部１１に相異なる目印１５が付されている。そのため、実施形態の歯ブラシスタンド１０は、互いに類似したデザインの複数の歯ブラシ１００を各々識別可能に収容することができる。なお、目印１５は、歯ブラシ保持部１１に付される構成に限定されるわけではなく、歯ブラシ保持部１１と対応付けて付されてもよい。
【００２３】
実施形態の歯ブラシスタンド１０は、歯ブラシ保持部１１に対応付けて歯磨剤容器置き場１４が設けられている。そのため、実施形態の歯ブラシスタンド１０は、歯ブラシ１００と歯磨剤容器１０１とを対応付けて収容することができる。
【００２４】
＜第１変形例＞
実施形態の歯ブラシスタンド１０は、平面上の横方向に歯ブラシ保持部１１が並んでいた。第１変形例の歯ブラシスタンドでは、回転軸を中心として回転可能に設けられた接続
部の側面に歯ブラシ保持部１１が並べられる。実施形態と共通の構成要素については同一の符号を付し、その説明は省略する。以下、図２を参照して、第１変形例について説明する。
【００２５】
図２は、第１変形例の歯ブラシスタンド２０を例示する斜視図である。歯ブラシスタンド２０は、複数の歯ブラシ１００を収容可能な歯ブラシスタンドである。歯ブラシスタンド２０は、歯ブラシ保持部１１、支持部２２、接続部２３、歯磨剤容器置き場１４、目印１５、回転軸２１を備えている。
【００２６】
支持部２２は、歯ブラシスタンド２０全体を支持する。支持部２２は、その中心部に回転軸２１を受ける軸受を有する円柱形上の部材である。しかしながら、支持部２２は、円柱形状に限定されるわけではない。支持部２２は、歯ブラシスタンド２０全体を支持可能であればどのような形状であってもよい。
【００２７】
回転軸２１は、支持部２２の中央から上方に向かって設けられている。接続部２３は、回転軸２１を中心として回転可能である。
【００２８】
接続部２３は、歯ブラシ保持部１１と支持部２２とを接続する。接続部２３は、支持部２２上に回転軸２１を中心として回転可能に設けられている。図２では、接続部２３は、回転軸２１を中心とした円柱形状となっており、その側面に歯ブラシ保持部１１を有している。しかしながら、接続部２３は、円柱形状に限定されるわけではない。接続部２３は、回転軸２１を中心として回転可能に形成されればどのような形状であってもよい。接続部２３は、例えば、三角柱、四角柱あるいは五角柱等の柱体でもよいし、円錐、三角錐あるいは四角錐等の錐体でもよい。例えば、接続部２３の形状として多角柱形状が採用された場合、接続部２３は、その側面の各面に１または複数の歯ブラシ保持部１１を有すればよい。接続部２３は、本考案の「回転体」の一例である。
【００２９】
第１変形例の歯ブラシスタンド２０は、歯ブラシ保持部１１に対応付けて目印１５が付されている。そのため、第１変形例の歯ブラシスタンド２０は、実施形態の歯ブラシスタンド１０と同様に、互いに類似したデザインの複数の歯ブラシ１００を各々識別可能に収容することができる。
【００３０】
第１変形例の歯ブラシスタンド２０は、歯ブラシ保持部１１に対応付けて歯磨剤容器置き場１４が設けられている。そのため、第１変形例の歯ブラシスタンド２０は、実施形態の歯ブラシスタンド１０と同様に、歯ブラシ１００と歯磨剤容器１０１とを対応付けて収容する事ができる。
【００３１】
第１変形例の歯ブラシスタンド２０では、回転軸２１を中心に接続部２３が回転可能に設けられている。そのため、歯ブラシスタンド２０は、歯ブラシ１００を取り出しやすい方向に歯ブラシ保持部１１の方向を変更可能である。
【００３２】
＜第２変形例＞
第２変形例では、歯ブラシ保持部が歯ブラシスタンド２０から着脱可能に設けられる。図３は、着脱可能な歯ブラシ保持部１１ａを含む歯ブラシスタンド２０を例示する斜視図である。実施形態あるいは第１変形例と共通の構成要素については同一の符号を付し、その説明は省略する。以下、図３を参照して、第２変形例について説明する。
【００３３】
歯ブラシ保持部１１ａには、目印１５が付されている。歯ブラシ保持部１１ａは、接続部２３と着脱可能となっている。歯ブラシ保持部１１ａと接続部２３とは、容易に着脱できる接続部品によって接続される。容易に着脱できる接続部品として、磁石若しくは凹凸
部を有するラッチ、ねじ、フックまたは面ファスナー等が例示される。
【００３４】
第２変形例によれば、歯ブラシ保持部１１ａが着脱可能となっていることで、宿泊客の好みに応じて目印１５が交換可能である。例えば、様々な目印１５が付された歯ブラシ保持部１１ａの中から、宿泊客の好みに合った目印１５を選択する楽しみを宿泊客に対して提供する事ができる。
【００３５】
第２変形例によれば、歯ブラシ保持部１１ａと接続部２３とは、例えば、磁石若しくは凹凸部を有するラッチ、ねじ、フックまたは面ファスナー等によって着脱可能に接続されている。そのため、歯ブラシ保持部１１ａは、接続部２３から容易に着脱できる。
【００３６】
第２変形例によれば、歯ブラシ保持部１１ａが接続部２３と着脱可能となることで、歯ブラシ保持部１１ａの交換が容易になる。例えば、歯ブラシ保持部１１ａが破損した場合でも、歯ブラシスタンド２０全体を交換しなくともよい。歯ブラシ保持部１１ａが破損した場合、当該破損した歯ブラシ保持部１１ａが交換されればよい。
【００３７】
また、第２変形例によれば、歯ブラシスタンド２０の清掃時には、歯ブラシ保持部１１ａを接続部２３から外すことで、歯ブラシスタンド２０の清掃が容易になる。
【００３８】
以上で開示した実施形態や変形例はそれぞれ組み合わせる事ができる。例えば、実施形態の歯ブラシスタンド１０に第２変形例の歯ブラシ保持部１１ａを適用してもよい。
【符号の説明】
【００３９】
１０、２０・・・歯ブラシスタンド
１１、１１ａ・・・歯ブラシ保持部
１２、２２・・・支持部
１３、２３・・・接続部
１４・・・歯磨剤容器置き場
１５・・・目印
２１・・・回転軸
１００・・・歯ブラシ
１０１・・・歯磨剤容器
【図１】
0003193521.tif 000003
【図２】
0003193521.tif 000004
【図３】
0003193521.tif 000005